(57)【要約】【課題】画像センサ、フォーカス駆動装置、及び駆動回路を整合した整合モジュールの提供。【解決手段】この画像センサ、フォーカス駆動装置、及び駆動回路を整合した整合モジュールは、チップキャリア及びフォーカス駆動装置を包含し、該チップキャリアは画像センサ及び該フォーカス駆動装置の駆動回路がパッケージされ、該フォーカス駆動装置はレンズを搭載し、並びに該チップキャリアと組み合わされ単一整合モジュールを構成し、該レンズを駆動して画像光線を該画像センサ上にオートフォーカスするのに用いられ、該単一整合モジュールはクリーンルーム中で組み合わせを完成し、非無塵環境中の微粒子や灰塵のレンズモジュールへの進入を防止する。【選択図】図４
2011109495.tif 000002
【特許請求の範囲】
【請求項１】
画像センサ、フォーカス駆動装置、及び駆動回路を整合した整合モジュールにおいて、該整合モジュールはデジタルカメラのレンズモジュールを形成し、
画像センサとフォーカス駆動装置の駆動ＩＣ及びその駆動回路をパッケージしたチップキャリアと、
レンズを搭載し、並びに該チップキャリアと組み合わされて単一整合モジュールを形成して、該レンズを駆動して画像光線を該画像センサに結像するのに用いられ、該単一整合モジュールはクリーンルーム中で組み合わせが完成し、更にデジタルカメラの回路板に電気的に接続されるフォーカス駆動装置と、
を包含したことを特徴とする、画像センサ、フォーカス駆動装置、及び駆動回路を整合した整合モジュール。
【請求項２】
請求項１記載の画像センサ、フォーカス駆動装置、及び駆動回路を整合した整合モジュールにおいて、該チップキャリアは、プラスチックリードレスチップキャリア（ＰＬＣＣ）、セラミックリードレスチップキャリア（ＣＬＣＣ）、有機リーディッドチップキャリア（ＯＬＣＣ）、ヂュアルインラインパッケージ（ＤＩＰ）、クオッドフラットノーリードパッケージ（ＱＦＮ）、クオッドフラットパッケージ（ＱＦＰ）のいずれかを使用することを特徴とする、画像センサ、フォーカス駆動装置、及び駆動回路を整合した整合モジュール。
【請求項３】
請求項１記載の画像センサ、フォーカス駆動装置、及び駆動回路を整合した整合モジュールにおいて、該チップキャリアはボールグリッドアレイ（ＢＧＡ）パッケージとされることを特徴とする、画像センサ、フォーカス駆動装置、及び駆動回路を整合した整合モジュール。
【請求項４】
請求項１記載の画像センサ、フォーカス駆動装置、及び駆動回路を整合した整合モジュールにおいて、該チップキャリアは凹溝状の基板とされ、該基板上が透明上蓋で被覆されたことを特徴とする、画像センサ、フォーカス駆動装置、及び駆動回路を整合した整合モジュール。
【請求項５】
請求項４記載の画像センサ、フォーカス駆動装置、及び駆動回路を整合した整合モジュールにおいて、該透明上蓋は赤外線フィルタ（ＩＲ  Ｃｕｔ  Ｆｉｌｔｅｒ）とされることを特徴とする、画像センサ、フォーカス駆動装置、及び駆動回路を整合した整合モジュール。
【請求項６】
請求項１記載の画像センサ、フォーカス駆動装置、及び駆動回路を整合した整合モジュールにおいて、該チップキャリアの上方に、複数のリード片が設けられて、該駆動回路に電気的に接続され、該フォーカス駆動装置の内部駆動モータより複数のピンが延伸され、該フォーカス駆動装置と該チップキャリアが組み合わされる時、該リード片が該ピンと対応して結合されることを特徴とする、画像センサ、フォーカス駆動装置、及び駆動回路を整合した整合モジュール。
【請求項７】
請求項１記載の画像センサ、フォーカス駆動装置、及び駆動回路を整合した整合モジュールにおいて、該フォーカス駆動装置と該チップキャリアの組み合わせに接着剤が使用されることを特徴とする、画像センサ、フォーカス駆動装置、及び駆動回路を整合した整合モジュール。
【発明の詳細な説明】
【技術分野】
【０００１】
本発明は一種の画像センサ、フォーカス駆動装置、及び駆動回路を整合した整合モジュールに係り、特に高画素カメラの画像センサ、オートフォーカス駆動構造及び関係駆動回路を組み合わせてなる単一モジュールの構造に関する。
【背景技術】
【０００２】
科学技術の進歩により、デジタルカメラの体積は相当縮小され、現在の携帯電話もまたほとんどにデジタルカメラの機能がビルトインされ、これらはいずれも撮像レンズのモジュール化及びマイクロ化に起因し、マイクロレンズ内には多くの種類のオートフォーカス駆動構造があり、現在、最も一般的に使用されているのは、ボイスコイルモータ（ＶＣＭ）であり、それは体積が小さく、使用電力が少なく、アクチュエータ移動の精確さ及び価格が低廉である等の長所により、マイクロレンズオートフォーカスの短距離駆動に適合する。
【０００３】
一般にハイレベルデジタルカメラモジュール１０は図１に示されるように、オートフォーカスモジュール１１、画像センサ１２、レンズ１３で構成され、そのうち、オートフォーカスモジュール１１はレンズ１３を搭載して画像光線をオートフォーカスして画像センシンサ１２上に結像させる。
【０００４】
伝統的にデジタルカメラモジュールを製造する時、該オートフォーカスモジュール１１及び該画像センサ１２は別々に組み立てられ、画像センサ１２及びオートフォーカスモジュール１１の駆動回路（図示せず）は回路板上に取り付けられ、さらに、クリーンルーム中で、オートフォーカスモジュール１１が画像センサ１２に組み合わされ、並びに駆動回路が該オートフォーカスモジュール１１に電気的に接続される。
【０００５】
ただし、ハイレベル（高画素）のデジタルカメラモジュールでは、その使用する画像センサ１２の画素サイズが益々小さくなり、ゆえに微粒子或いは灰塵汚染の該画像センサ１２の結像への影響が益々厳重になっている。しかし、クリーンルーム中で組み立てても、その汚染状況の発生を回避できない。
【０００６】
その主要な原因は、オートフォーカスモジュール１１と画像センサ１２が別々に組み立てられ、製造者は二つの異なる工場エリアに所属し、運送或いは工場エリアを変換して組み合わせる時、非無塵環境の微粒子或いは灰塵との接触を免れないことにあり、このような状況がハイレベルデジタルカメラへの影響は相当に厳重となる。
【０００７】
既存の技術では、デジタルカメラのレンズモジュールを縮小するため、比較的ローレベルのレンズモジュールでは、画像センサ１２を画像処理回路の基板１４上にパッケージし、図２の周知の技術の立体図のようにし、その上をさらに透明ガラス１５で被覆し、これにより微粒子や灰塵が画像センサ１２に影響を与えるのを防止する。さらに、レンズシート１６を一緒に画像センサ１２上にパッケージし、図３の周知の技術の側面断面図のようにし、最後にレンズ１３をねじ込む。
【０００８】
周知の技術はレンズモジュールを、できるだけ縮小し、微粒子或いは灰塵の影響を減少することができるが、オートフォーカスモジュールがなければ、ローレベルのカメラレンズモジュールにすぎない。
【発明の概要】
【発明が解決しようとする課題】
【０００９】
上述の問題を解決するため、本発明者は画像センサとオートフォーカスモジュールの駆動回路を密閉されたパッケージモジュールに設計し、これにより更にオートフォーカスモジュールと併せてクリーンルーム中で単一モジュールに整合し、こうして、非無塵環境中での微粒子或いは灰塵との接触の機会を減らし、ハイレベルデジタルカメラの品質を大幅に向上できる。
【００１０】
本発明の主要な目的は、一種の画像センサ、フォーカス駆動装置、及び駆動回路を整合した整合モジュールを提供し、完全にクリーンルーム中でハイレベルデジタルカメラのレンズモジュールの製造を完成し、非無塵環境中での微粒子或いは灰塵がレンズモジュール中に進入するのを防止できるようにすることにある。
【課題を解決するための手段】
【００１１】
上述の目的を達成するため、本発明の主要な技術特徴は、画像センサ、フォーカス駆動装置、及び駆動回路を整合した整合モジュールを提供することにあり、それはチップキャリア及びフォーカス駆動装置を包含し、該チップキャリアは画像センサ及び該フォーカス駆動装置の駆動回路がパッケージされ、該フォーカス駆動装置はレンズを搭載し、並びに該チップキャリアと組み合わされ単一整合モジュールを構成し、該レンズを駆動して画像光線を該画像センサ上にオートフォーカスするのに用いられ、該単一整合モジュールはクリーンルーム中で組み合わせを完成し、更にデジタルカメラの回路板に電気的に接続する。
【００１２】
上述の目的を達成するため、本発明の次の技術特徴は、上述の画像センサ、フォーカス駆動装置、及び駆動回路を整合した整合モジュールにおいて、該チップキャリアを凹溝状の基板とし、基板上を透明上蓋で被覆することにある。
【００１３】
上述の目的を達成するため、本発明の別の技術特徴は、上述の画像センサ、フォーカス駆動装置、及び駆動回路を整合した整合モジュールにおいて、該チップキャリアの上方に複数のリード片を設けて該駆動回路に電気的に接続し、該フォーカス駆動装置の内部駆動モータより複数のピンを延伸し、フォーカス駆動装置とチップキャリアを組み合わせる時、該リード片を該ピンに対応させて接続することにある。
【００１４】
上述の目的を達成するため、本発明のさらに別の技術特徴は、上述の画像センサ、フォーカス駆動装置、及び駆動回路を整合した整合モジュールにおいて、該フォーカス駆動装置と該チップキャリアを、接着剤で接合することにある。
【発明の効果】
【００１５】
本発明の画像センサ、フォーカス駆動装置、及び駆動回路を整合した整合モジュールは、チップキャリア及びフォーカス駆動装置を包含し、該チップキャリアは画像センサ及び該フォーカス駆動装置の駆動回路がパッケージされ、該フォーカス駆動装置はレンズを搭載し、並びに該チップキャリアと組み合わされ単一整合モジュールを構成し、該レンズを駆動して画像光線を該画像センサ上にオートフォーカスするのに用いられ、該単一整合モジュールはクリーンルーム中で組み合わせを完成し、非無塵環境中の微粒子や灰塵のレンズモジュールへの進入を防止し、ハイレベルデジタルカメラの品質を大幅に向上する。
【図面の簡単な説明】
【００１６】
【図１】周知のハイレベルデジタルカメラモジュールの立体図である。
【図２】周知の画像センサパッケージの立体分解図である。
【図３】周知の画像センサとレンズシートパッケージの側面断面図である。
【図４】本発明の実施例の分解図である。
【図５】図４の組み合わせ立体図である。
【図６】本発明のチップキャリアの立体図である。
【発明を実施するための形態】
【００１７】
以下に本発明の目的を達成するために採用する技術、手段、及び作用効果を更に了解していただくため、以下の本発明の詳細な説明と添付の図面を参照されたい。それにより、本発明の目的、特徴及び長所がさらに具体的にご理解いただけると信ずる。しかし、添付の図面は参考と説明のためのものに過ぎず、本発明に対して制限を加えるものではない。
【００１８】
図４は本発明の実施例の分解図である。図５は図４の組み合わせ立体図である。図６は本発明のチップキャリアの立体図である。本発明はチップキャリア２０、レンズオートフォーカス機構（以下にフォーカス駆動装置３０と略称する）及びレンズ４０を包含する。
【００１９】
本発明のチップキャリア２０は凹溝状のパッケージキャリア基板であり、デジタルカメラの画像センサ２１とフォーカス駆動装置３０の駆動ＩＣ及び関係駆動回路のパッシブ素子等の駆動回路２２が、共に該チップキャリア２０中にパッケージ可能である。
【００２０】
該フォーカス駆動装置３０は該レンズ４０を搭載し、並びに該チップキャリア２０と組み合わされて単一整合モジュールとされて、該レンズ４０を駆動してオートフォーカスして画像光線を該画像センサ２１上に結像させるのに用いられ、該単一整合モジュールはクリーンルーム中で組み合わせが完成される。
【００２１】
好ましい実施例として、該フォーカス駆動装置３０と該チップキャリア２０の組み合わせには接着剤を使用し、最後にレンズ４０をねじ込んで、完全なカメラレンズモジュールを形成するか、或いは、レンズ４０を先にフォーカス駆動装置３０にねじ込んで、さらにそれをチップキャリア２０と接着し、これにより、完全に非無塵環境中での微粒子或いは灰塵の進入を防止し、さらに完全なカメラレンズモジュールを画像処理回路板に電気的に接続する。
【００２２】
該チップキャリア２０は、プラスチックリードレスチップキャリア（ＰＬＣＣ）、セラミックリードレスチップキャリア（ＣＬＣＣ）、有機リーディッドチップキャリア（ＯＬＣＣ）、ヂュアルインラインパッケージ（ＤＩＰ）、クオッドフラットノーリードパッケージ（ＱＦＮ）、クオッドフラットパッケージ（ＱＦＰ）等、或いはボールグリッドアレイ（ＢＧＡ）パッケージを使用できる。
【００２３】
図６は本発明のチップキャリアの立体図である。該チップキャリア２０は四角扁平状の凹溝を呈し、その内部に画像センサ２１とフォーカス駆動装置３０の駆動ＩＣ及びその駆動回路２２が共にパッケージされ、該チップキャリア２０上が更に透明上蓋２３で被覆されて、密閉されたパッケージモジュールが形成され、好ましい実施例では、該透明上蓋は赤外線フィルタ（ＩＲ  Ｃｕｔ  Ｆｉｌｔｅｒ）とされる。
【００２４】
該チップキャリア２０の上方側辺部分には、複数のリード片２４が設けられて、該駆動回路２２に電気的に接続され、該フォーカス駆動装置３０もまた内部駆動モータ（図示せず）より複数のピン３１が延伸され（図５も参照されたい）、フォーカス駆動装置３０とチップキャリア２０が組み合わされる時、該リード片２４が該ピン３１と対応して結合され、該駆動回路２２が該フォーカス駆動装置３０の駆動モータを駆動可能とされる。
【００２５】
本発明は上述に記載の技術により、周知のものとは異なる設計を提供し、全体の使用価値を高め、また出願前に頒布された刊行物に記載されておらず、また、公開使用されておらず、特許の要件に符合する。
【００２６】
しかし、上述の図面、説明は本発明の実施例に係るものに過ぎず、本発明の技術の属する分野における通常の知識を有する者が上述の説明に基づきなし得るその他の各種の改良は、本発明の発明の精神及び特許請求の範囲に属する。
【符号の説明】
【００２７】
１０  カメラモジュール
１１  オートフォーカスモジュール
１２  画像センサ
１３  レンズ
１４  画像処理回路基板
１５  透明ガラス
１６  レンズシート
２０  チップキャリア
２１  画像センサ
２２  駆動回路
２３  透明上蓋
２４  リード片
３０  フォーカス駆動装置
３１  ピン
４０  レンズ
【図１】
2011109495.tif 000003
【図２】
2011109495.tif 000004
【図３】
2011109495.tif 000005
【図４】
2011109495.tif 000006
【図５】
2011109495.tif 000007
【図６】
2011109495.tif 000008